【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
光が照射された被検体で発生する音響波に基づいて生成された、前記被検体内の複数の位置に夫々対応した特性情報の分布を示す特性分布を取得する処理部を有し、
前記処理部は、
前記特性分布を用いて生成された分布画像と、前記分布画像の関心領域内における前記特性情報の時間変動を示すデータと、を表示部に合わせて表示させることを特徴とする被検体情報取得装置。
【請求項２】
前記処理部は、
前記関心領域内における複数の位置の特性情報の統計量を算出し、
前記特性情報の時間変動を示すデータとして、前記統計量の時間変動を示すデータを表示させることを特徴とする請求項１に記載の被検体情報取得装置。
【請求項３】
前記処理部は、少なくとも並列表示モードと単独表示モードとを選択的に実行可能に構成されており、
ユーザにより前記並列表示モードの入力を受けた場合は、前記分布画像と、前記特性情報の時間変動を示すデータと、を前記表示部に並べて表示させ、
前記並列表示モードの入力がない場合、又は、ユーザにより前記単独表示モードの入力を受けた場合は、前記分布画像と、前記特性情報の時間変動を示すデータと、を前記表示部に合わせて表示しないことを特徴とする請求項１又は２に記載の被検体情報取得装置。
【請求項４】
前記処理部は、前記表示部に表示された前記分布画像に対してユーザにより指定された前記関心領域の情報を受け、前記関心領域の情報に基づいて、前記分布画像の前記関心領域を設定することを特徴とする請求項１から３のいずれか１項に記載の被検体情報取得装置。
【請求項５】
前記処理部は、前記分布画像に基づいて前記関心領域を設定することを特徴とする請求項１から３のいずれか１項に記載の被検体情報取得装置。
【請求項６】
前記処理部は、前記被検体に光が所定回数照射された場合に、前記所定回数分の音響波の受信信号に基づいて、前記特性分布を生成し、
前記所定回数分の前記音響波の前記受信信号に基づいて生成された前記特性分布を、前記分布画像として表示させることを特徴とする請求項１から５のいずれか１項に記載の被検体情報取得装置。
【請求項７】
前記処理部は、前記被検体に前記光が複数回照射された場合に、前記光の照射毎の前記特性情報の時間変動を示すデータを表示させることを特徴とする請求項１から６のいずれか１項に記載の被検体情報取得装置。
【請求項８】
前記処理部は、
前記特性情報として、第１の特性情報と、前記第１の特性情報とは異なる第２の特性情報と、を取得し、
前記被検体内の複数の位置に夫々対応した前記第１の特性情報の分布を示す特性分布を用いて生成された分布画像と、前記分布画像の前記関心領域内における前記第２の特性情報の時間変動を示すデータと、を前記表示部に合わせて表示させることを特徴とする請求項１から７のいずれか１項に記載の被検体情報取得装置。
【請求項９】
前記処理部は、前記特性情報として、前記光を吸収することにより発生する音響波の音圧、前記光の吸収係数、酸素飽和度、物質の濃度、のうちの少なくともいずれかを反映した情報を取得することを特徴とする請求項１から８のいずれか１項に記載の被検体情報取得装置。
【請求項１０】
光の照射により発生する音響波を受信して第１の受信信号に変換する変換素子と、
音響波を送信して、前記被検体内で反射された反射波を受信して第２の受信信号に変換する変換素子と、を備え、
前記処理部は、
前記第１の受信信号を用いて前記特性分布を生成し、
前記第２の受信信号を用いて前記被検体内の音響特性に関する分布を生成し、
前記特性分布と前記音響特性に関する分布との重畳画像を前記分布画像として表示させることを特徴とする請求項１から９のいずれか１項に記載の被検体情報取得装置。
【請求項１１】
前記光の照射により発生する音響波を受信する前記変換素子と、前記音響波を送信して前記反射波を受信する前記変換素子と、は共通であることを特徴とする請求項１０に記載の被検体情報取得装置。
【請求項１２】
光を発生する光源と、
前記光源からの光が照射されることにより被検体で発生した音響波を受信して受信信号に変換する変換素子と、
を有し、
前記処理部は、前記受信信号に基づいて前記特性分布を生成する
ことを特徴とする請求項１から１０のいずれか１項に記載の情報処理装置。
【請求項１３】
前記処理部は、前記分布画像と、前記分布画像の関心領域内における特性情報の時間変動を示すデータと、を前記表示部の同じ画面内に表示させることを特徴とする請求項１から１２のいずれか１項に記載の被検体情報取得装置。
【請求項１４】
前記処理部は、
前記分布画像と、前記分布画像の関心領域内における特性情報の時間変動を示すデータと、があるタイミングにおいて共に表示されている状態となるよう制御することを特徴とする請求項１から１３のいずれか１項に記載の被検体情報取得装置。
【請求項１５】
光が照射された被検体で発生する音響波に基づいて生成された特性分布を用いて、画像を表示する表示方法であって、
前記特性分布は、前記被検体内の複数の位置に夫々対応した特性情報の分布であり、
前記特性分布を用いて生成された分布画像と、前記分布画像の関心領域内における前記特性情報の時間変動を示すデータと、を合わせて表示するステップを有することを特徴とする表示方法。
【請求項１６】
前記表示するステップでは、
前記特性情報の時間変動を示すデータとして、前記関心領域内における複数の位置の特性情報の統計量の時間変動を示すデータを表示することを特徴とする請求項１５に記載の表示方法。
【請求項１７】
少なくとも並列表示モードと単独表示モードとを選択的に実行可能であり、
ユーザにより前記並列表示モードの入力を受けた場合は、前記分布画像と、前記特性情報の時間変動を示すデータと、を並べて表示し、
前記並列表示モードの入力がない場合、又は、ユーザにより前記単独表示モードの入力を受けた場合は、前記分布画像と、前記特性情報の時間変動を示すデータと、を合わせて表示しないことを特徴とする請求項１５又は１６に記載の表示方法。
【請求項１８】
ユーザにより指定された前記関心領域の情報を受けるステップをさらに有し、
前記表示するステップでは、前記分布画像の前記関心領域内における前記特性情報の時間変動を示すデータを表示することを特徴とする請求項１５から１７のいずれか１項に記載の表示方法。
【請求項１９】
前記表示するステップでは、
前記被検体に光が所定回数照射された場合に、前記所定回数分の音響波の受信信号に基づいて生成された前記特性分布を前記分布画像として表示することを特徴とする請求項１５から１８のいずれか１項に記載の表示方法。
【請求項２０】
前記表示するステップでは、
前記被検体に光が所定回数照射された場合に、前記時間変動を示すデータとして前記光の照射毎の前記特性情報の時間変動を示すデータを表示することを特徴とする請求項１５から１９のいずれか１項に記載の表示方法。
【請求項２１】
前記特性情報は、第１の特性情報と、前記第１の特性情報とは異なる第２の特性情報と、を含み、
前記表示するステップでは、
前記被検体内の複数の位置に夫々対応した前記第１の特性情報の分布を示す特性分布を用いて生成された分布画像と、前記分布画像の前記関心領域内における前記第２の特性情報の時間変動を示すデータと、を合わせて表示することを特徴とする請求項１５から２０のいずれか１項に記載の表示方法。
【請求項２２】
音響波を送信して前記被検体内で反射した反射波を受信することにより取得された前記被検体内の音響特性に関する分布の情報を受けるステップをさらに有し、
前記表示するステップでは、
前記特性分布と、前記音響特性に関する分布と、が重畳された重畳画像を前記分布画像として表示することを特徴とする請求項１５から２１のいずれか１項に記載の表示方法。
【請求項２３】
前記分布画像と、前記分布画像の前記関心領域内における前記特性情報の時間変動を示すデータと、があるタイミングにおいて共に表示することを特徴とする請求項１５から２２のいずれか１項に記載の表示方法。
【請求項２４】
請求項１５から２３のいずれか１項に記載の表示方法の各ステップをコンピュータに実行させるためのプログラム。
【手続補正２】
【補正対象書類名】明細書
【補正対象項目名】０００９
【補正方法】変更
【補正の内容】
【０００９】
本発明の被検体情報取得装置は、光が照射された被検体で発生する音響波に基づいて生成された、前記被検体内の複数の位置に夫々対応した特性情報の分布を示す特性分布を取得する処理部を有し、
前記処理部は、前記特性分布を用いて生成された分布画像と、前記分布画像の関心領域内における前記特性情報の時間変動を示すデータと、を表示部に合わせて表示させる。
【手続補正３】
【補正対象書類名】明細書
【補正対象項目名】００１０
【補正方法】変更
【補正の内容】
【００１０】
本発明の表示方法は、光が照射された被検体で発生する音響波に基づいて生成された特性分布を用いて、画像を表示する表示方法であって、
前記特性分布は、前記被検体内の複数の位置に夫々対応した特性情報の分布であり、
前記特性分布を用いて生成された分布画像と、前記分布画像の関心領域内における前記特性情報の時間変動を示すデータと、を合わせて表示するステップを有する。